【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
印刷媒体に画像を形成する画像形成部を含む本体と、
カセット本体、印刷媒体を支持するために該カセット本体内で支持されるノックアッププレート、及び該ノックアッププレート上に搭載された印刷媒体を整列させる調節方向に沿って移動可能な整列ユニットを含む給紙カセットと、を備え、
前記整列ユニットは、外力受け部及び該外力受け部により移動可能で前記カセット本体の第２係合部と解除可能に係合する第１係合部を含み、
押す力が前記調節方向に前記整列ユニットを押すように前記外力受け部に加えられた場合、前記押す力は前記第１係合部を前記第２係合部から解除して前記調節方向に前記整列ユニットが押されることを可能にすることを特徴とする画像形成装置。
【請求項２】
引く力が前記調節方向に前記整列ユニットを引くように前記外力受け部に加えられた場合、前記引く力は前記第１係合部を前記第２係合部から解除して前記調節方向に前記整列ユニットが引かれることを可能にすることを特徴とする請求項１に記載の画像形成装置。
【請求項３】
前記整列ユニットは、前記外力受け部が回転可能に搭載される支持フレームを含み、
前記押す力が前記調節方向に前記整列ユニットを押すように前記外力受け部に加えられた場合、前記押す力は前記外力受け部を前記支持フレームに対して回転させ、前記外力受け部の回転運動は前記第１係合部を前記第２係合部から解除して前記調節方向に前記整列ユニットが押されることを可能にすることを特徴とする請求項２に記載の画像形成装置。
【請求項４】
前記整列ユニットは、前記外力受け部が回転可能に搭載される支持フレームを含み、
前記引く力が前記調節方向に前記整列ユニットを引くように前記外力受け部に加えられた場合、前記引く力は前記外力受け部を前記支持フレームに対して回転させ、前記外力受け部の回転運動は前記第１係合部を前記第２係合部から解除して前記調節方向に前記整列ユニットが引かれることを可能にすることを特徴とする請求項２に記載の画像形成装置。
【請求項５】
前記第２係合部は、印刷媒体の幅方向及び長さ方向のうちのいずれか一方向の前記調節方向に沿って形成された本体係止部を含み、
前記第１係合部は、前記本体係止部に選択的に係合可能に設けられたユニット係止部を含み、
前記外力受け部は、外力を受けて引く方向又は押す方向のいずれかの方向への外力を受ける場合に前記ユニット係止部を前記本体係止部から係合解除させる係合解除部を含むことを特徴とする請求項１に記載の画像形成装置。
【請求項６】
前記外力が解除される場合、前記ユニット係止部が前記係合位置に復元するように前記ユニット係止部を付勢する弾性部材を更に含むことを特徴とする請求項５に記載の画像形成装置。
【請求項７】
画像形成装置に着脱可能な給紙カセットであって、
印刷媒体の幅方向及び長さ方向のうちのいずれか一方向の調節方向に沿って形成された本体係止部を有するカセット本体と、
前記カセット本体に収容されて印刷媒体を支持するノックアッププレートと、
前記調節方向に沿って移動可能なユニット本体と、前記本体係止部に選択的に係合可能に設けられたユニット係止部と、前記ユニット本体に結合されて外力を受け、引く方向又は押す方向のいずれかの方向への外力を受ける場合に前記ユニット係止部を前記本体係止部から係合解除させる係合解除部と、を含み、前記ノックアッププレートに積載される前記印刷媒体を整列させるために前記カセット本体により支持される整列ユニットと、を備えることを特徴とする給紙カセット。
【請求項８】
前記ユニット係止部は、前記係合解除部に前記外力が加えられる場合に前記本体係止部から係合解除される第１及び第２係合解除位置のいずれかの位置と、前記係合解除部への前記外力が解除される場合に前記本体係止部に係合する係合位置との間を移動可能に設けられることを特徴とする請求項７に記載の給紙カセット。
【請求項９】
前記外力が解除される場合、前記ユニット係止部が前記係合位置に復元するように前記ユニット係止部を付勢する弾性部材を更に含むことを特徴とする請求項８に記載の給紙カセット。
【請求項１０】
前記ユニット係止部及び前記係合解除部のいずれかの一方は、前記ユニット係止部及び前記係合解除部のいずれかの他方に向かって突出した突起を含み、
前記ユニット係止部及び前記係合解除部のいずれかの他方は、前記突起の移動を案内する案内部を含むことを特徴とする請求項８に記載の給紙カセット。
【請求項１１】
前記案内部は、前記突起を、前記第１係合解除位置、前記係合位置、及び前記第２係合解除位置に案内する案内溝を含むことを特徴とする請求項１０に記載の給紙カセット。
【請求項１２】
前記係合解除部は、前記ユニット本体に回動可能に結合され、
前記ユニット係止部は、前記第１及び第２係合解除位置に移動するように前記係合解除部の回動中心に向かって近づき、前記係合位置に移動するように前記回動中心から遠ざかることを特徴とする請求項８に記載の給紙カセット。
【請求項１３】
前記ユニット係止部は、直線往復運動することを特徴とする請求項１２に記載の給紙カセット。
【請求項１４】
前記係合解除部の前記回動中心は、前記ユニット係止部が直線運動する平面上に位置することを特徴とする請求項１２に記載の給紙カセット。
【請求項１５】
前記係合解除部は、スライディング運動中心を基準に前記調節方向に沿って往復スライディング可能に前記ユニット本体に結合され、
前記ユニット係止部は、前記第１及び第２係合解除位置に移動するように前記スライディング運動中心に向かって近づき、前記係合位置に移動するように前記スライディング運動中心から遠ざかることを特徴とする請求項８に記載の給紙カセット。
【請求項１６】
前記本体係止部は、前記調節方向に沿って設けられたラックを含むことを特徴とする請求項７に記載の給紙カセット。
【請求項１７】
前記係合解除部は、
前記外力を受ける外力受け部と、
前記係合解除部の中心から外側に向かうように傾斜して設けられた端部と、を含むことを特徴とする請求項７に記載の給紙カセット。
【請求項１８】
画像形成装置に供給される印刷媒体の少なくとも一端をガイドする装置であって、
前記印刷媒体が設置される支持面を有する印刷媒体収容ユニットと、
前記支持面上で支持された印刷媒体の少なくとも一端に向かう第１調節方向及び前記印刷媒体の少なくとも一端から離れる第２調節方向に移動可能な接触フレームと、
前記印刷媒体収容ユニットの一部と選択的に係合可能に設けられて前記接触フレームの移動を制限する係合部と、
前記係合部と結合され、前記第１調節方向及び前記第２調節方向に外力を受けた時に前記係合部が前記印刷媒体収容ユニットの一部から解除されるように構成された係合解除部と、を備えることを特徴とするガイド装置。
【請求項１９】
前記係合解除部は、前記受けた外力に応じて動くように構成され、前記係合解除部には、前記受けた外力に応じて前記係合解除部が動く際に、前記係合部が前記第１及び第２調節方向に略鉛直方向に沿って移動するようにガイドする案内部が形成されることを特徴とする請求項１８に記載のガイド装置。
【請求項２０】
前記係合解除部は、前記受けた外力に応じて回転軸を回転させるように構成されることを特徴とする請求項１９に記載のガイド装置。
【請求項２１】
前記係合解除部は、前記受けた外力に応じて前記第１及び第２調節方向に略平行方向に直線的にスライドするように構成されることを特徴とする請求項１９に記載のガイド装置。
【請求項２２】
前記印刷媒体収容ユニットの一部は、前記第１及び第２調節方向に略平行な方向に沿って配列された複数の歯列を備えたラックを含み、
前記係合部は、前記ラックの複数の歯列のうちの一つ以上に噛みあうように一つ以上の係止歯列がその端部に形成されたユニット係止部を含むことを特徴とする請求項１８に記載のガイド装置。
【請求項２３】
前記係合解除部は、前記第１及び第２調節方向に垂直な線に対して傾いた外力受け部を含むことを特徴とする請求項１８に記載のガイド装置。
【請求項２４】
前記係合部を前記印刷媒体収容ユニットの一部と係合する位置に向けて付勢する弾性部材を更に含むことを特徴とする請求項１８に記載のガイド装置。
【請求項２５】
前記係合解除部及び前記接触フレームは、前記係合解除部が前記外力を受けた際に、前記係合解除部及び前記接触フレームの両方が一体となって前記第１及び第２調節方向に動くように互いに結合されることを特徴とする請求項１８に記載のガイド装置。
【手続補正２】
【補正対象書類名】明細書
【補正対象項目名】発明の名称
【補正方法】変更
【補正の内容】
【発明の名称】給紙カセット及びこれを含む画像形成装置、並びにガイド装置
【手続補正３】
【補正対象書類名】明細書
【補正対象項目名】０００１
【補正方法】変更
【補正の内容】
【０００１】
本発明は、給紙カセット及びこれを含む画像形成装置、並びにガイド装置に係り、より詳細には、ユーザが、積載される印刷媒体の幅を容易に調節することができる給紙カセット及びこれを含む画像形成装置、並びにガイド装置に関するものである。
【手続補正４】
【補正対象書類名】明細書
【補正対象項目名】０００６
【補正方法】変更
【補正の内容】
【０００６】
本発明は、上記従来の問題点に鑑みてなされたものであって、本発明の目的は、引く方向及び押す方向のいずれの方向に外力が加えられても、積載される印刷媒体を整列させることができる給紙カセット及びこれを含む画像形成装置、並びにガイド装置を提供することにある。
また、本発明の目的は、小さい力でも印刷媒体を整列させることができる給紙カセット及びこれを含む画像形成装置、並びにガイド装置を提供することにある。
【手続補正５】
【補正対象書類名】明細書
【補正対象項目名】０００７
【補正方法】変更
【補正の内容】
【０００７】
上記目的を達成するためになされた本発明の給紙カセットは、画像形成装置に着脱可能な給紙カセットであって、印刷媒体の幅方向及び長さ方向のうちのいずれか一方向の調節方向に沿って形成された本体係止部を有するカセット本体と、前記カセット本体に収容されて印刷媒体を支持するノックアッププレートと、前記調節方向に沿って移動可能なユニット本体と、前記本体係止部に選択的に係合可能に設けられたユニット係止部と、前記ユニット本体に結合されて外力を受け、引く方向又は押す方向のいずれかの方向への外力を受ける場合に前記ユニット係止部を前記本体係止部から係合解除させる係合解除部と、を含み、前記ノックアッププレートに積載される前記印刷媒体を整列させるために前記カセット本体により支持される整列ユニットと、を備えることを特徴とする。
前記ユニット係止部は、前記係合解除部に前記外力が加えられる場合に前記本体係止部から係合解除される第１及び第２係合解除位置のいずれかの位置と、前記係合解除部への前記外力が解除される場合に前記本体係止部に係合する係合位置との間を移動可能に設けることができる。
上記給紙カセットは、前記外力が解除される場合、前記ユニット係止部が前記係合位置に復元するように前記ユニット係止部を付勢する弾性部材を更に含むことができる。
また、前記ユニット係止部及び前記係合解除部のいずれかの一方は、前記ユニット係止部及び前記係合解除部のいずれかの他方に向かって突出した突起を含み、前記ユニット係止部及び前記係合解除部のいずれかの他方は、前記突起の移動を案内する案内部を含むことができる。
ここで、前記案内部は、前記突起を、前記第１係合解除位置、前記係合位置、及び前記第２係合解除位置に案内する案内溝を含むことができる。
そして、前記係合解除部は、前記ユニット本体に回動可能に結合され、前記ユニット係止部は、前記第１及び第２係合解除位置に移動するように前記係合解除部の回動中心に向かって近づき、前記係合位置に移動するように前記回動中心から遠ざかることができる。
また、前記ユニット係止部は、直線往復運動するように設けることができる。
前記係合解除部の前記回動中心は、前記ユニット係止部が直線運動する平面上に位置することができる。
前記係合解除部は、スライディング運動中心を基準に前記調節方向に沿って往復スライディング可能に前記ユニット本体に結合され、前記ユニット係止部は、前記第１及び第２係合解除位置に移動するように前記スライディング運動中心に向かって近づき、前記係合位置に移動するように前記スライディング運動中心から遠ざかることができる。
前記本体係止部は、前記調節方向に沿って設けられたラックを含むことができる。
前記係合解除部は、前記外力を受ける外力受け部と、前記係合解除部の中心から外側に向かうように傾斜して設けられた端部と、を含むことができる。
【手続補正６】
【補正対象書類名】明細書
【補正対象項目名】０００８
【補正方法】変更
【補正の内容】
【０００８】
上記目的を達成するためになされた本発明の画像形成装置は、印刷媒体に画像を形成する画像形成部を含む本体と、カセット本体、印刷媒体を支持するために該カセット本体内で支持されるノックアッププレート、及び該ノックアッププレート上に搭載された印刷媒体を整列させる調節方向に沿って移動可能な整列ユニットを含む給紙カセットと、を備え、前記整列ユニットは、外力受け部及び該外力受け部により移動可能で前記カセット本体の第２係合部と解除可能に係合する第１係合部を含み、押す力が前記調節方向に前記整列ユニットを押すように前記外力受け部に加えられた場合、前記押す力は前記第１係合部を前記第２係合部から解除して前記調節方向に前記整列ユニットが押されることを可能にすることを特徴とする。
引く力が前記調節方向に前記整列ユニットを引くように前記外力受け部に加えられた場合、前記引く力は前記第１係合部を前記第２係合部から解除して前記調節方向に前記整列ユニットが引かれることを可能にすることができる。
前記整列ユニットは、前記外力受け部が回転可能に搭載される支持フレームを含み、
前記押す力が前記調節方向に前記整列ユニットを押すように前記外力受け部に加えられた場合、前記押す力は前記外力受け部を前記支持フレームに対して回転させ、前記外力受け部の回転運動は前記第１係合部を前記第２係合部から解除して前記調節方向に前記整列ユニットが押されることを可能にすることができる。
前記整列ユニットは、前記外力受け部が回転可能に搭載される支持フレームを含み、
前記引く力が前記調節方向に前記整列ユニットを引くように前記外力受け部に加えられた場合、前記引く力は前記外力受け部を前記支持フレームに対して回転させ、前記外力受け部の回転運動は前記第１係合部を前記第２係合部から解除して前記調節方向に前記整列ユニットが引かれることを可能にすることができる。
前記第２係合部は、印刷媒体の幅方向及び長さ方向のうちのいずれか一方向の前記調節方向に沿って形成された本体係止部を含み、前記第１係合部は、前記本体係止部に選択的に係合可能に設けられたユニット係止部を含み、前記外力受け部は、外力を受けて引く方向又は押す方向のいずれかの方向への外力を受ける場合に前記ユニット係止部を前記本体係止部から係合解除させる係合解除部を含むことができる。
前記外力が解除される場合、前記ユニット係止部が前記係合位置に復元するように前記ユニット係止部を付勢する弾性部材を更に含むことができる。
【手続補正７】
【補正対象書類名】明細書
【補正対象項目名】０００９
【補正方法】変更
【補正の内容】
【０００９】
上記目的を達成するためになされた本発明のガイド装置は、画像形成装置に供給される印刷媒体の少なくとも一端をガイドする装置であって、前記印刷媒体が設置される支持面を有する印刷媒体収容ユニットと、前記支持面上で支持された印刷媒体の少なくとも一端に向かう第１調節方向及び前記印刷媒体の少なくとも一端から離れる第２調節方向に移動可能な接触フレームと、前記印刷媒体収容ユニットの一部と選択的に係合可能に設けられて前記接触フレームの移動を制限する係合部と、前記係合部と結合され、前記第１調節方向及び前記第２調節方向に外力を受けた時に前記係合部が前記印刷媒体収容ユニットの一部から解除されるように構成された係合解除部と、を備えることを特徴とする。
前記係合解除部は、前記受けた外力に応じて動くように構成され、前記係合解除部には、前記受けた外力に応じて前記係合解除部が動く際に、前記係合部が前記第１及び第２調節方向に略鉛直方向に沿って移動するようにガイドする案内部を形成することができる。
前記係合解除部は、前記受けた外力に応じて回転軸を回転させるように構成することができる。
前記係合解除部は、前記受けた外力に応じて前記第１及び第２調節方向に略平行方向に直線的にスライドするように構成することができる。
前記印刷媒体収容ユニットの一部は、前記第１及び第２調節方向に略平行な方向に沿って配列された複数の歯列を備えたラックを含み、前記係合部は、前記ラックの複数の歯列のうちの一つ以上に噛みあうように一つ以上の係止歯列がその端部に形成されたユニット係止部を含むことができる。
前記係合解除部は、前記第１及び第２調節方向に垂直な線に対して傾いた外力受け部を含むことができる。
前記係合部を前記印刷媒体収容ユニットの一部と係合する位置に向けて付勢する弾性部材を更に含むことができる。
前記係合解除部及び前記接触フレームは、前記係合解除部が前記外力を受けた際に、前記係合解除部及び前記接触フレームの両方が一体となって前記第１及び第２調節方向に動くように互いに結合することができる。
【手続補正８】
【補正対象書類名】明細書
【補正対象項目名】００１０
【補正方法】変更
【補正の内容】
【００１０】
本発明の給紙カセット及びこれを含む画像形成装置、並びにガイド装置によれば、下記のような効果が得られる。
第一、ユーザが整列ユニットの係合解除部を押したり引いたりするだけでカセット本体から整列ユニットが係合解除されるため、ノックアッププレートに積載される印刷媒体の幅を自在に調節することが可能になる。
第二、係合解除部に小さい力を加えても容易に係合解除されるため、使い勝手が向上する。
第三、整列ユニットの移動時に、整列ユニットがカセット本体から確実に係合解除されるため、これら両部材が接触した状態で移動することから生じる異音を減少させることが可能になる。